(57)【特許請求の範囲】
【請求項１】
コンロ本体の所定の加熱位置に載置された調理容器を加熱するバーナと、バーナの火力を調整する火力調整部と、加熱位置に調理容器が載置されているか否かに応じてオンオフする鍋検知センサと、調理容器が加熱位置に載置されていない場合にバーナの火力を予め設定された制限火力に調整する火力制限機能の実行部と、所定の解除指示がなされた場合に前記火力制限機能を解除する解除機能部とを備えたガスコンロであって、
バーナが点火された時点で火力制限機能が設定され、火力制限機能が設定された状態において、前記解除指示がなされた時点で火力制限機能が解除され、火力制限機能が解除された状態において、調理容器が加熱位置に継続して載置されていると判定された時点で火力制限機能を復帰させる制御構成とした、ガスコンロ。
【請求項２】
請求項１に記載のガスコンロにおいて、
所定時間内における鍋検知センサのオンオフ回数が基準回数未満であれば、調理容器が加熱位置に継続して載置されているものとする、ガスコンロ。
【請求項３】
請求項１または２に記載のガスコンロにおいて、
所定時間内における鍋検知センサのオンオフ回数が基準回数以上になったことを、前記解除指示とする、ガスコンロ。
【発明の詳細な説明】
【技術分野】
【０００１】
本発明は、鍋やフライパン等の調理容器が所定の加熱位置に載置されていない場合に、バーナの火力を制限する機能を備えたガスコンロに関する。
【背景技術】
【０００２】
鍋やフライパン等の調理容器がバーナ上方の所定の加熱位置に載置されていない鍋なしの状態である場合に、バーナの火力を所定以下に制限する火力制限機能を備えた従来のガスコンロにおいて、調理容器を短時間で加熱位置から外したり戻したりする鍋振りが検知された場合や操作部にて火力制限機能の解除操作が行われた場合など、所定の解除指示がなされた場合に火力制限機能が解除され、火力制限機能が解除された後、調理容器が加熱位置から外された状態で一定時間が経過すれば、再び火力制限機能が復帰するように構成されたものが知られている（例えば、特許文献１および２参照）。
【先行技術文献】
【特許文献】
【０００３】
【特許文献１】特開２００６−１２５６７５号公報
【特許文献２】特開２００６−１３８５７１号公報
【発明の概要】
【発明が解決しようとする課題】
【０００４】
しかしながら、上記従来のガスコンロでは、例えば、鍋振り終了後に調理容器が加熱位置にある状態では、火力制限機能が解除されたままになっているから、継続して使用する場合に調理容器が加熱位置から外されたとしても、一定時間が経過するまでは火力制限機能が働かず、安全上の懸念がある。また、調理中に使用者が適宜手動で火力制限機能を復帰させるのは、使い勝手も悪い。
【０００５】
本発明は、上記課題を鑑みてなされたものであり、その目的は、バーナの火力制限機能を備えたガスコンロにおいて、安全性および使い勝手の向上を図ることにある。
【課題を解決するための手段】
【０００６】
本発明は、コンロ本体の所定の加熱位置に載置された調理容器を加熱するバーナと、バーナの火力を調整する火力調整部と、加熱位置に調理容器が載置されているか否かに応じてオンオフする鍋検知センサと、調理容器が加熱位置に載置されていない場合にバーナの火力を予め設定された制限火力に調整する火力制限機能の実行部と、所定の解除指示がなされた場合に前記火力制限機能を解除する解除機能部とを備えたガスコンロであって、バーナが点火された時点で火力制限機能が設定され、火力制限機能が設定された状態において、前記解除指示がなされた時点で火力制限機能が解除され、火力制限機能が解除された状態において、調理容器が加熱位置に継続して載置されていると判定された時点で火力制限機能を復帰させる制御構成としたものである。
【０００７】
このものでは、バーナが点火された時点で火力制限機能が設定されるから、バーナが点火された直後に調理容器が加熱位置から外されたとしても、火力制限機能の働きによって速やかにバーナの火力が制限される。一方、火力制限機能が設定された状態において、所定の解除指示がなされた場合は、その時点で火力制限機能が解除されるから、この状態で調理容器が加熱位置から一時的に外されたとしても、火力制限機能が働かず、バーナの火力は制限されない。また、火力制限機能が解除された状態であっても、調理容器が加熱位置に継続して載置されている場合は、自動で火力制限機能を復帰させる。従って、その後、調理容器が加熱位置から外された際には、火力制限機能の働きによって速やかにバーナの火力が制限される。また、調理中に火力制限機能を手動で復帰させる手間もかからない。
【０００８】
また、本発明は、上記構成のガスコンロにおいて、所定時間内における鍋検知センサのオンオフ回数が基準回数未満であれば、調理容器が加熱位置に継続して載置されているものとする。
【０００９】
このものでは、所定時間内における鍋検知センサのオンオフ回数が基準回数未満であれば、調理容器が加熱位置に継続して載置されているものとするから、火力制限機能が解除された状態で鍋振りが行われていたとしても、鍋振りが行われなくなった段階で、確実に火力制限機能を復帰させることができる。
【００１０】
また、本発明は、上記構成のガスコンロにおいて、所定時間内における鍋検知センサのオンオフ回数が基準回数以上になったことを、前記解除指示とする。
【００１１】
このものでは、所定時間内における鍋検知センサのオンオフ回数が基準回数以上になれば、自動で火力制限機能が解除されるから、調理中に鍋振りを行うような場合であっても、鍋振りの度に火力制限機能を手動で解除させる手間がかからない。
【発明の効果】
【００１２】
以上のように、本発明によれば、火力制限機能が解除されていても、調理容器が加熱位置に継続して載置された状態になれば、自動で火力制限機能を復帰させるから、安全性および使い勝手が向上する。
【図面の簡単な説明】
【００１３】
【図１】図１は、本発明の第１の実施形態に係るガスコンロの概略構成図である。
【図２】図２は、本発明の第１の実施形態に係るガスコンロの鍋検知センサのオンオフ状態とバーナの火力制御との関係を示すタイムチャートである。
【図３】図３は、本発明の第２の実施形態に係るガスコンロの鍋検知センサのオンオフ状態とバーナの火力制御との関係を示すタイムチャートである。
【図４】図４は、本発明の第３の実施形態に係るガスコンロの概略構成図である。
【図５】図５は、本発明の第３の実施形態に係るガスコンロの鍋検知センサのオンオフ状態とバーナの火力制御との関係を示すタイムチャートである。
【発明を実施するための形態】
【００１４】
次に、上記した本発明を実施するための形態について、添付図面を参照しながら詳述する。
図１に示すように、本発明の第１の実施形態に係るガスコンロ１（Ａ）は、コンロ本体１０の天面部１１に外炎式のバーナ２が複数或いは単数配設されたものであり、天面部１１には、バーナ２のバーナボディ２１を上方へ臨ませるバーナ用開口１１０が開設されている。さらに、バーナ用開口１１０の周縁上部には、鍋やフライパン等の調理容器Ｐを支持するための五徳１２が載置されており、バーナ２は、五徳１２の上部に載置された調理容器Ｐを下方から加熱するように構成されている。即ち、五徳１２の上部が調理容器Ｐの加熱位置となる。
【００１５】
コンロ本体１０の正面部１３には、バーナ２を点火および消火させるための点消火操作部１４が配設されている。また、点消火操作部１４には、点消火操作部１４の点火操作（ここでは、プッシュ操作）に応じてオンとなり、消火操作（ここでは、プッシュ操作）に応じてオフとなる点消火スイッチ１４０が組み込まれている。尚、点消火操作部１４は、バーナ２の火力を手動で任意に設定する操作機能を兼備している。
【００１６】
コンロ本体１０の内部には、点消火操作部１４の点火操作や消火操作、火力設定操作に応じてバーナ２へのガスの供給量を調整する火力調整部としてのバルブユニット１５が組み込まれている。また、バルブユニット１５の下流側には、ガス配管１６からバルブユニット１５に供給されるガスをバーナ２の混合管２２へ向けて噴出させるガス噴出ノズル１７が設けられている。
【００１７】
バルブユニット１５は、点火操作により点消火スイッチ１４０がオンになれば開き、炎検知センサ３２によって燃焼炎が検知されなくなれば閉じる電磁開閉弁１５１と、点火操作により点消火スイッチ１４０がオンになれば開き、消火操作により点消火スイッチ１４０がオフになれば閉じる主弁１５２と、点消火操作部１４の設定火力に合わせて開度調整されるニードル弁１５３と、後述する火力制限機能の実行部からの指示に応じて開度調整される流量調整弁１５４とで構成されており、これら各弁１５１，１５２，１５３，１５４によって混合管２２へのガスの噴出量が適宜調整される。
【００１８】
バーナボディ２１の外周面には、ベンチュリー形状の混合管２２がコンロ本体１０の内部空間において略水平に延設されている。また、バーナボディ２１の上部には、外周に複数の炎孔２３０を有するバーナヘッド２３が設けられている。さらに、バーナヘッド２３の上部には、バーナヘッド２３の上面部を上方から覆うカバー部材２４が設けられている。
【００１９】
混合管２２は、バーナボディ２１内部のガス流通路２１０を介して炎孔２３０に繋がっている。従って、ガス噴出ノズル１７から混合管２２内へ向けて噴出されたガスは、コンロ本体１０内部の空気と混合されてガス流通路２１０へ導かれ、炎孔２３０からバーナヘッド２３の外周へ放出される。
【００２０】
バーナボディ２１の外周近傍には、所定電圧が印加された際に炎孔２３０の外側近傍で火花放電させる点火プラグ３１と、炎孔２３０の外側近傍におけるガスの燃焼炎の有無を検知する炎検知センサ３２とが設けられている。また、バーナボディ２１の内側中心部には、五徳１２の上部に載置された調理容器Ｐの底面の温度を接触検知する鍋底温度センサ３３が立設されている。
【００２１】
鍋底温度センサ３３は、調理容器Ｐの温度を検知するサーミスタ３３０と、サーミスタ３３０を覆う上端閉塞筒状のヘッド部３３１と、コンロ本体１０の内部に立設固定され、上端にヘッド部３３１が連結される支持パイプ３３２と、ヘッド部３３１と支持パイプ３３２の上端との間に介装されるばね部材３３３とからなり、五徳１２の上部に調理容器Ｐが載置されていない状態において、ヘッド部３３１が五徳１２の上端面より上方へ突出するように構成されている。
【００２２】
ヘッド部３３１は、支持パイプ３３２に対して上下に摺動可能な状態で連結されており、五徳１２の上部に調理容器Ｐが載置された際には、上端の集熱板３３４が調理容器Ｐの底面中央に押圧当接し、ばね部材３３３の弾性力に抗して押し下げられる。尚、サーミスタ３３０は、ヘッド部３３１内側の集熱板３３４の裏面に固設されており、集熱板３３４を介して伝達される調理容器Ｐの温度を検知するように構成されている。
【００２３】
支持パイプ３３２の内部空間には、ヘッド部３３１の上下動に連動して支持パイプ３３２内を上下に摺動するマグネット３４が設けられている。また、支持パイプ３３２の外周面には、マグネット３４が所定位置まで下がればオンになり、所定位置から上方へ離反すればオフになる鍋検知センサとしてのリードスイッチ３５が設けられている。従って、五徳１２の上部に調理容器Ｐが載置されると、鍋底温度センサ３３のヘッド部３３１が押し下げられ、それに伴ってマグネット３４も所定位置まで下げられる。これにより、リードスイッチ３５がオンになる。一方、調理容器Ｐが五徳１２から持ち上げられると、鍋底温度センサ３３のヘッド部３３１がばね部材３３３の弾性力によって押し上げられ、それに伴ってマグネット３４も所定位置から上方へ離反する。これにより、リードスイッチ３５がオフになる。
【００２４】
点消火スイッチ１４０、電磁開閉弁１５１、主弁１５２、流量調整弁１５４、点火プラグ３１、炎検知センサ３２、サーミスタ３３０、および、リードスイッチ３５は、コンロ本体１０内に組み込まれた制御回路４０に電気配線を通じて接続されている。
【００２５】
制御回路４０は、点消火操作部１４の点火操作に応じてバーナ２を点火させ、消火操作に応じてバーナ２を消火させる点消火実行部、炎検知センサ３２の検知温度が失火判定基準温度以下になるか、或いは、鍋底温度センサ３３の検知温度が過熱判定基準温度以上になった場合に、バーナ２へのガスの供給を強制停止する安全処理実行部等の回路構成を有している。
【００２６】
さらに、制御回路４０は、リードスイッチ３５のオンオフ状態に基づいて、五徳１２の上部に調理容器Ｐが載置された「鍋あり」の状態であるか、載置されていない「鍋なし」の状態であるかを判定する鍋検知部、リードスイッチ３５がオフである場合にバーナ２の火力を予め設定された制限火力に調整する火力制限機能の実行部、火力制限機能の解除指示や復帰指示を判定する際の経過時間を計測するタイマ、所定時間内にリードスイッチ３５がオンからオフになった回数（オンオフ回数）をカウントするカウント部、上記オンオフ回数が基準回数以上であれば火力制限機能の解除指示に相当する「鍋振り」の状態であると判定し、リードスイッチ３５のオフ時間またはオン時間が基準時間継続すれば火力制限機能の復帰指示に相当する「鍋振りなし」の状態であると判定する載置状態判定部、上記鍋振りの状態であると判定された場合に火力制限機能を解除する解除処理実行部、上記鍋振りなしの状態であると判定された場合に火力制限機能を復帰させる復帰処理実行部等の回路構成を有している。
【００２７】
次に、制御回路４０によるバーナ２の火力制御動作を説明する。まず、点消火操作部１４にて点火操作がなされると、ニードル弁１５３の開度が所定の点火時開度に調整されると共に、点火電極３１とバーナヘッド２３との間で火花放電させ、さらに、電磁開閉弁１５１および主弁１５２を開く。その結果、炎孔２３０から点火に適した濃度の混合ガスが放出され、上記火花放電により着火される。これにより、バーナ２が点火される。
【００２８】
尚、バーナ２が点火された後、点消火操作部１４にて火力調整操作が行われた場合は、その操作位置に合わせてニードル弁１５３の開度が変更され、バーナ２の火力が調整される。そして、点消火操作部１４にて消火操作がなされた場合は、主弁１５２を閉じ、バーナ２へのガスの供給を停止させる。これにより、バーナ２が消火される。
【００２９】
バーナ２が点火されると、リードスイッチ３５がオフ（鍋なし）であるか否か、および、所定時間Ｔ１内（例えば、６秒間）におけるリードスイッチ３５のオンオフ回数が基準回数（例えば、２回）以上であるか否か、即ち、「鍋振り」の状態であるか否かの監視を行う。鍋振りの状態であると判定される前においては、火力制限機能が働いており、リードスイッチ３５がオフになれば、流量調整弁１５４を所定の小開度まで閉じ、バーナ２の火力を制限火力（ここでは、「弱火」）に調整する。また、その後、再びリードスイッチ３５がオンになれば、流量調整弁１５４を所定の大開度まで開き、バーナ２の火力を点消火操作部１４で任意に設定された火力（ここでは、「強火」）に戻す（図２のＳＴ１参照）。
【００３０】
尚、バーナ２が点火されると、炎検知センサ３２の検知温度が失火判定基準温度以下になったか否か、および、鍋底温度センサ３３の検知温度が過熱判定基準温度以上になったか否かの監視も行われる。そして、炎検知センサ３２の検知温度が失火判定基準温度以下になるか、或いは、鍋底温度センサ３３の検知温度が過熱判定基準温度以上になれば、電磁開閉弁１５１を閉じ、バーナ２へのガスの供給が強制的に停止される。
【００３１】
バーナ２が点火された後、所定時間Ｔ１内にリードスイッチ３５のオンオフ回数が基準回数以上になった場合は、鍋振りの状態であると判定し、火力制限機能を解除する。また、火力制限機能が解除されると、リードスイッチ３５のオフ時間Ｔ２が基準時間Ｔｓ（例えば、１０秒間）継続したか否か、および、リードスイッチ３５のオン時間Ｔ３が基準時間Ｔｓ（例えば、１０秒間）継続したか否か、即ち、「鍋振りなし」の状態になったか否かの監視を行う。その間、上記オフ時間Ｔ２が基準時間Ｔｓ未満である場合や、上記オン時間Ｔ３が基準時間Ｔｓ未満である場合は、調理容器Ｐが五徳１２から持ち上げられたとしても、鍋振りの状態であるとして、バーナ２の火力を点消火操作部１４で設定された火力に維持する（図２のＳＴ２参照）。
【００３２】
一方、火力制限機能が解除された状態にて、リードスイッチ３５のオン時間Ｔ３が基準時間Ｔｓ継続した場合は、調理容器Ｐが五徳１２の上部に継続して載置された「鍋振りなし」の状態であるとして、火力制限機能を復帰させる。従って、この状態で調理容器Ｐが五徳１２から持ち上げられた場合は、火力制限機能の働きによってバーナ２の火力が速やかに制限火力に調整される（図２のＳＴ３参照）。
【００３３】
また、図示しないが、火力制限機能が解除された状態にて、リードスイッチ３５のオフ時間Ｔ２が基準時間Ｔｓ継続した場合は、調理容器Ｐが五徳１２から継続して外された「鍋振りなし」の状態であるとして、この場合も火力制限機能を復帰させる。従って、このまま調理容器Ｐが五徳１２の上部に載置されなければ、火力制限機能の働きによってバーナ２の火力が速やかに制限火力に調整される。
【００３４】
このように、上記第１の実施形態に係るガスコンロ１（Ａ）によれば、バーナ２が点火された時点で火力制限機能が設定されるから、バーナ２が点火された直後に調理容器Ｐが五徳１２の上部から外されたとしても、火力制限機能の働きによって速やかにバーナ２の火力が制限される。よって、安全性が高い。一方、調理中に鍋振りを行うような場合であっても、鍋振りが行われていると判定されれば、自動で火力制限機能が解除されるから、鍋振りの度に火力制限機能を手動で解除させる手間がかからない。よって、使い勝手が良い。
【００３５】
また、上記第１の実施形態に係るガスコンロ１（Ａ）では、火力制限機能が解除された状態であっても、調理容器Ｐが五徳１２の上部に継続して載置されている場合は、自動で火力制限機能を復帰させるから、その後、調理容器Ｐが五徳１２から外された際には、火力制限機能の働きによって速やかにバーナ２の火力を制限することができる。また、調理中に火力制限機能を手動で復帰させる手間もかからない。よって、安全性が高く、使い勝手も良い。
【００３６】
本発明の第２の実施形態に係るガスコンロは、制御回路４０を除いて、図１に示したガスコンロ１（Ａ）と同様の構成を有しており、所定時間内におけるリードスイッチ３５のオンオフ回数が基準回数未満であれば、調理容器Ｐが五徳１２の上部に継続して載置されているとして、火力制限機能を復帰させるように構成されている。
【００３７】
詳述すると、制御部４０は、上記載置状態判定部に代えて、リードスイッチ３５のオンオフ回数が基準回数以上であれば火力制限機能の解除指示に相当する「鍋振り」の状態であると判定する一方、リードスイッチ３５のオンオフ回数が基準回数未満であれば、火力制限機能の復帰指示に相当する「鍋振りなし」の状態であると判定する載置状態判定部を有している。
【００３８】
このものでは、バーナ２が点火されると、上記第１の実施形態と同様、リードスイッチ３５がオフであるか否か、および、所定時間Ｔ１内におけるリードスイッチ３５のオンオフ回数が基準回数以上である「鍋振り」の状態であるか否かの監視を行う。そして、所定時間Ｔ１内にリードスイッチ３５のオンオフ回数が基準回数以上になれば、鍋振りの状態であると判定し、火力制限機能を解除する（図３のＳＴ１参照）。
【００３９】
火力制限機能が解除されると、所定時間Ｔ４内（例えば、１０秒間）におけるリードスイッチ３５のオンオフ回数が基準回数（例えば、２回）未満であるか否か、即ち、「鍋振りなし」の状態であるか否かの監視を行う。その間、上記オンオフ回数が基準回数以上である場合は、調理容器Ｐが五徳１２から持ち上げられたとしても、バーナ２の火力を点消火操作部１４で設定された火力に維持する（図３のＳＴ２参照）。
【００４０】
一方、火力制限機能が解除された状態にて、上記オンオフ回数が基準回数未満であった場合は、調理容器Ｐが五徳１２の上部に継続して載置された「鍋振りなし」の状態であるとして、火力制限機能を復帰させる。従って、この状態で調理容器Ｐが五徳１２から持ち上げられた場合は、火力制限機能の働きによってバーナ２の火力が速やかに制限火力に調整される（図３のＳＴ３参照）。
【００４１】
このように、上記第２の実施形態に係るガスコンロよれば、バーナ２が点火された時点で火力制限機能が設定されるから、バーナ２が点火された直後に調理容器Ｐが五徳１２の上部から外されたとしても、火力制限機能の働きによって速やかにバーナ２の火力が制限される。一方、調理中に鍋振りを行うような場合であっても、鍋振りが行われていると判定されれば、自動で火力制限機能が解除される。また、バーナ２の火力制限機能が解除された状態であっても、調理容器Ｐが五徳１２の上部に継続して載置されている場合は、自動で火力制限機能を復帰させる。よって、上記第１の実施形態と同様、安全性が高く、使い勝手も良い。
【００４２】
さらに、このものでは、所定時間Ｔ４内におけるリードスイッチ３５のオンオフ回数が基準回数未満であれば、調理容器Ｐが五徳１２の上部に継続して載置されているものとするから、火力制限機能が解除された状態で鍋振りが行われていたとしても、鍋振りが行われなくなった段階で、確実に火力制限機能を復帰させることができる。よって、安全性が一層高い。
【００４３】
図４に示すように、本発明の第３の実施形態に係るガスコンロ１（Ｂ）は、コンロ本体１０の正面部１３に、火力制限機能を手動で解除するための解除操作部１８をさらに備えており、バーナ２が点火された後、解除操作部１８にて解除操作がなされた場合に火力制限機能が解除されるように構成されている。
【００４４】
詳述すると、解除操作部１８は、制御回路４０に電気配線を通じて接続されている。また、制御回路４０は、解除操作部１８の解除操作（例えば、プッシュ操作）が行われた場合に火力制限機能の解除指示がなされたと判定する一方、解除操作部１８の復帰操作（例えば、プッシュ操作）が行われた場合に火力制限機能の復帰指示がなされたと判定する解除操作判定部を備えている。さらに、制御回路４０は、上記載置状態判定部および復帰処理実行部に代えて、リードスイッチ３５のオンオフ回数が基準回数未満であれば、火力制限機能の復帰指示に相当する「鍋振りなし」の状態であると判定する載置状態判定部と、上記鍋振りなしの状態であると判定された場合または解除操作部１８により解除操作が行われた場合に火力制限機能を復帰させる復帰処理実行部を有している。
【００４５】
このものでは、バーナ２が点火されると、リードスイッチ３５がオフであるか否か、所定時間Ｔ１内におけるリードスイッチ３５のオンオフ回数が基準回数以上である「鍋振り」の状態であるか否かの監視と共に、解除操作部１８により解除操作が行われたか否かの監視を行う。そして、鍋振りの状態であると判定される前に解除操作部１８にて解除操作が行われた場合は、火力制限機能を解除する。また、火力制限機能が解除された場合は、解除操作部１８により復帰操作が行われたか否かの監視を行うと共に、所定時間Ｔ５内（例えば、２０秒間）におけるリードスイッチ３５のオンオフ回数が基準回数（例えば、２回）未満である「鍋振りなし」の状態であるか否かの監視を行う。その間、上記オンオフ回数が基準回数以上であり、且つ、解除操作部１８の復帰操作も行われない場合は、調理容器Ｐが五徳１２から持ち上げられたとしても、バーナ２の火力を点消火操作部１４で設定された火力に維持する（図５のＳＴ１参照）。
【００４６】
一方、火力制限機能が解除された状態にて、上記オンオフ回数が基準回数未満であった場合は、調理容器Ｐが五徳１２の上部に継続して載置された「鍋振りなし」の状態であるとして、火力制限機能を復帰させる。従って、この状態で調理容器Ｐが五徳１２から持ち上げられた場合は、火力制限機能の働きによってバーナ２の火力が速やかに制限火力に調整される（図５のＳＴ２参照）。
【００４７】
尚、火力制限機能が解除された状態にて、解除操作部１８の復帰操作が行われた場合も同様に火力制限機能を復帰させる。従って、この状態で調理容器Ｐが五徳１２から持ち上げられた場合は、火力制限機能の働きによってバーナ２の火力が速やかに制限火力に調整される。
【００４８】
このように、上記第３の実施形態に係るガスコンロ１（Ｂ）によれば、バーナ２が点火された時点で火力制限機能が設定されるから、バーナ２が点火された直後に調理容器Ｐが五徳１２の上部から外されたとしても、火力制限機能の働きによって速やかにバーナ２の火力が制限される。一方、バーナ２の火力制限機能が解除された状態であっても、調理容器Ｐが五徳１２の上部に継続して載置されている場合は、自動で火力制限機能を復帰させるから、上記第１および第２の実施形態と同様、安全性が高く、使い勝手も良い。
【００４９】
また、このものでは、所定時間Ｔ５内におけるリードスイッチ３５のオンオフ回数が基準回数未満であれば、調理容器Ｐが五徳１２の上部に継続して載置されているものとするから、上記第２の実施形態と同様、安全性が一層高い。
【００５０】
尚、上記第３の実施形態では、調理容器Ｐが五徳１２の上部に継続して載置された状態であるか否かの判定として、所定時間Ｔ５内におけるリードスイッチ３５のオンオフ回数が基準回数未満であるか否かを判定するように構成されたものを説明したが、上記第１の実施形態と同様、リードスイッチ３５のオン時間Ｔ３が基準時間Ｔｓ継続したか否かを判定するものとしてもよい。
【００５１】
リードスイッチ３５は、五徳１２の上部に調理容器Ｐが載置されればオフになり、調理容器Ｐが五徳１２から持ち上げられるとオンになるように構成されたものであってもよい。この場合、リードスイッチ３５のオンオフに伴う上記各制御動作は、全て反対に作用するように構成される（リードスイッチ３５がオンである場合にバーナ２の火力を予め設定された制限火力に調整する、リードスイッチ３５のオフ時間が基準時間継続すれば調理容器Ｐが五徳１２の上部に継続して載置された状態であると判定する等）。
【符号の説明】
【００５２】
１      ガスコンロ
１０    コンロ本体
１２    五徳（加熱位置）
１５    バルブユニット（火力調整部）
２      バーナ
３５    リードスイッチ（鍋検知センサ）
４０    制御回路
Ｐ      調理容器
【図１】
0005868922.tif 000002
【図２】
0005868922.tif 000003
【図３】
0005868922.tif 000004
【図４】
0005868922.tif 000005
【図５】
0005868922.tif 000006